(57)【特許請求の範囲】
【請求項１】
室外熱交換器の露出面に被さるガード部材を備えた空気調和装置の室外ユニットにおいて、
前記ガード部材は、規則的に並ぶ複数の開口を有し、
前記室外熱交換器の一端部には、前記室外熱交換器の前記露出面側において突出する突起が形成され、
前記ガード部材は、その先端に位置する前記開口が前記突起に引っ掛けられて支持され、前記露出面に沿って敷設されて、その末端が前記熱交換器の他端部に固定されるものであり、
前記ガード部材が有する前記開口は、前記ガード部材の敷設方向と平行でない辺からなる枠で囲まれた形状であり、
前記ガード部材の枠を構成する辺のうち先端側の辺が、前記突起の幅よりも長い直線で構成されたことを特徴とする室外ユニット。
【請求項２】
請求項１記載の室外ユニットにおいて、
前記室外熱交換器は、冷媒が流れるチューブに、複数の板状のフィンを並べて取り付けた構成を有し、
前記室外熱交換器の一方の端に位置する前記フィンの外側には、前記フィンと平行に板状のエンドプレートが配設され、このエンドプレートの前記露出面側の側縁部が折り曲げられてリブが形成され、このリブの一部が延設されて前記突起が形成されたことを特徴とする室外ユニット。
【請求項３】
請求項１または２記載の室外ユニットにおいて、
前記突起の先端は、前記室外熱交換器の前記露出面とは反対側に折り曲げられてフック形状に構成されたことを特徴とする室外ユニット。
【請求項４】
請求項１から３のいずれかに記載の室外ユニットにおいて、
前記突起は、前記室外熱交換器の一端部に複数並べて設けられ、
前記突起間のピッチは、前記ガード部材の前記開口が並ぶピッチの整数倍となっていることを特徴とする室外ユニット。
【発明の詳細な説明】
【技術分野】
【０００１】
本発明は、空気調和装置の室外ユニットに関する。
【背景技術】
【０００２】
従来、空気調和装置の室外ユニットが備える熱交換器には、熱交換器のフィンに人体等が接触するのを防止すること、および、接触等による熱交換器のフィンの変形を防止することを目的として、熱交換器を覆うガード部材が取り付けられているものがある（例えば、特許文献１参照）。
【特許文献１】特開平８−１３６００３公報
【発明の開示】
【発明が解決しようとする課題】
【０００３】
上記従来の構成では、熱交換器へのガード部材の取り付けは、例えば、結束バンドで熱交換器とガード部材とを締め付けるようにして行われており、取り付け作業に手間がかかるという問題があった。
【０００４】
そこで本発明は、室外ユニットの熱交換器を保護するガード部材を備える空気調和装置の室外ユニットにおいて、熱交換器へのガード部材の取り付けを容易にすることを目的とする。
【課題を解決するための手段】
【０００５】
上記課題を解決するため、本発明は、室外熱交換器の露出面に被さるガード部材を備えた空気調和装置の室外ユニットにおいて、前記ガード部材は、規則的に並ぶ複数の開口を有し、前記室外熱交換器の一端部には、前記室外熱交換器の前記露出面側において突出する突起が形成され、前記ガード部材は、その先端に位置する前記開口が前記突起に引っ掛けられて支持され、前記露出面に沿って敷設されて、その末端が前記熱交換器の他端部に固定されるものであり、前記ガード部材が有する前記開口は、前記ガード部材の敷設方向と平行でない辺からなる枠で囲まれた形状であり、前記ガード部材の枠を構成する辺のうち先端側の辺が、前記突起の幅よりも長い直線で構成されたことを特徴とする。
この構成によれば、空気調和装置の室外ユニットにおいて、ガード部材が開口を有し、熱交換器の一端部には、熱交換器の前記露出面側において突出する突起が形成され、ガード部材は、ガード部材の開口に突起を引っ掛けられて支持されるため、取り付け時には引っ掛けるだけで済むので、熱交換器へのガード部材の取り付けが容易になる。ここで、辺とは、枠を構成する直線又は曲線の縁のうち、面取りにより生じた直線を除くものを指す。この場合、ガード部材は、ガード部材の敷設方向に歪み易く、この歪みによって伸縮可能であるため、ガード部材が適度な引張りの復元力を持つ状態で熱交換器に取り付けられる。このため、ガード部材が脱落しにくく、容易に確実な取り付けができる。また、ガード部材の先端側の辺が直線で、かつ、突起の幅よりも長いため、ガード部材の先端側の辺に突起が確実に入り込み、この辺と突起とが直線同士で接するため、ガード部材を安定した状態で固定できる。
【０００６】
上記構成において、前記室外熱交換器は、冷媒が流れるチューブに、複数の板状のフィンを並べて取り付けた構成を有し、前記室外熱交換器の一方の端に位置する前記フィンの外側には、前記フィンと平行に板状のエンドプレートが配設され、このエンドプレートの前記露出面側の側縁部が折り曲げられてリブが形成され、このリブの一部が延設されて前記突起が形成された構成としても良い。
この場合、リブの一部が延設されて突起が形成されるため、板状のエンドプレートにリブを形成する工程で、同時に突起を成形できるため、製造に手間がかからないという利点がある。
【０００７】
上記構成において、前記突起の先端は、前記室外熱交換器の露出面とは反対側に折り曲げられてフック形状に構成されても良い。
この場合、突起の先端のフック形状にガード部材が引っ掛かるため、ガード部材の取り付け作業時に仮止めしたガード部材が外れにくくなり、ガード部材の取り付けが容易になる。また、ガード部材の取り付け後においても、突起からのガード部材の脱落を防止できる。
【００１０】
上記構成において、前記突起は、前記室外熱交換器の一端部に複数並べて設けられ、
前記突起間のピッチは、前記ガード部材の前記開口が並ぶピッチの整数倍となっているものとしても良い。
この場合、１箇所の突起とガード部材の開口の所定の部分とを一致させると、他の箇所の突起とガード部材の開口の位置とが一致するため、取り付けが容易になる。
【発明の効果】
【００１１】
本発明によれば、室外ユニットの熱交換器を覆うガード部材を備える空気調和装置の室外ユニットにおいて、熱交換器へのガード部材の取り付けが容易になる。
【発明を実施するための最良の形態】
【００１２】
以下、図面を参照して本発明の実施形態を詳述する。
本実施形態に係る空気調和装置は、室内ユニット（図示略）と室外ユニット１０とが冷媒配管で接続されてなる冷媒回路を構成し、この冷媒回路に冷媒を流して冷房運転及び暖房運転を行う。室外ユニット１０は、冷媒と室外空気との間で熱交換し、冷房運転時には冷媒を凝縮させて外気に熱を放出し、暖房運転時には冷媒を蒸発させて外気から熱を取り込むものである。なお、以下に述べる上下、左右、側面および背面といった方向は、室外ユニット１０を設置した状態でその正面側から見た場合の方向を示している。
【００１３】
図１は、室外ユニット１０の正面図であり、図２は室外ユニット１０を上方から見た平面図である。図３は、背面側から見た室外ユニット１０の斜視図である。図１の例では、天板１７、前面パネル１３ａ、前面パネル１３ｂ及び外板１４を取り外した状態を示している。図２では、天板１７を外した状態を示す。図３では、フィンガード５４の一部を省略して示す。
室外ユニット１０は、略直方体箱形状のユニットケース１１を備え、ユニットケース１１は、底板１２、天板１７、前面パネル１３ａ、前面パネル１３ｂ及び外板１４を有し、ユニットケース１１の内部は、鉛直に延びる仕切り板１５によって、熱交換室Ｒ１と機械室Ｒ２とに仕切られている。さらに、仕切り板１５は、上下に分割された上部仕切り板１５ａと下部仕切り板１５ｂとから構成されている。
図２に示した室外ユニット１０の前面パネルは、仕切り板１５を境に左右に二分割された前面パネル１３ａと前面パネル１３ｂとで構成され、これらは各々独立して着脱自在である。前面パネル１３ａと前面パネル１３ｂとを取り外して、作業者が前面側から熱交換室Ｒ１および機械室Ｒ２内の部品の脱着作業等のメンテナンス作業を行うことが可能である。
【００１４】
熱交換室Ｒ１には、熱交換器５０と共に送風機２２とが収容される。
送風機２２は、熱交換室Ｒ１内の左右一対の支柱２４Ｌ、２４Ｒに台座２５を介して固定されたファンモータ２６と、このファンモータ２６の軸に取り付けられたプロペラファン２７とから構成され、このプロペラファン２７が熱交換室Ｒ１の前面側に配置される。また、このプロペラファン２７の周囲には、円筒状の風洞ケース２８が配置され、この風洞ケース２８の開口部が、通風路を確保しつつプロペラファン２７への人体等の接触を防止可能なファンガード２９で覆われる。
【００１５】
熱交換器５０は、室外ユニット１０の左側面及び背面に沿うように略Ｌ字形状に成形され、室外ユニット１０の左側面及び背面の壁面部の一部を構成するように配置されている。外側に露出している熱交換器５０の露出面には、ガード部材としてのフィンガード５４が取り付けられている。
ファンモータ２６によりプロペラファン２７が回転駆動されると、室外ユニット１０の周囲、より具体的には、熱交換器５０の背面側及び左側面側から外気が熱交換室Ｒ１内に吸い込まれ、熱交換器５０を通過した後に、熱交換室Ｒ１の前面の風洞ケース２８を通って外に排出される。このように、室外ユニット１０は、背面から空気を吸い込み、熱交換した空気を前面から吹き出すように構成されている。
【００１６】
機械室Ｒ２の略下部の空間には、冷媒回路の一部を構成する圧縮機３１、アキュムレータ３２および切替弁や凝縮弁といった弁体などが配管接続されて収容される。この機械室Ｒ２内の配管の一端側は、熱交換器５０を介して室内ユニットと配管接続され、配管の他端側は室内ユニットに配管接続され、これにより、冷媒を循環する冷媒回路が構成される。
【００１７】
機械室Ｒ２の上部の空間には、空気調和装置を制御する制御基板などの各種電装品４２が配設された電装ボックス４０が配置される。この電装ボックス４０は、電装品支持板４１を有し、前面パネル１３ｂと略平行に配置される電装品支持板４１は、上部仕切り板１５ａに取り付けられている。また、電装品支持板４１と上部仕切り板１５ａとは一体のユニットとして着脱可能である。
【００１８】
熱交換器５０は、冷媒が流れるチューブ５１の周りに放熱用のフィン５３が配置されて構成されるフィン・アンド・チューブ型の熱交換器であり、これを二重に重ねて構成されている。チューブ５１は多段に折り返して曲げられ、フィン５３は板材を波状にして形成されており、効率が高められている。フィン５３は外部に露出しているため、フィン５３には人体等が接触する可能性があり、フィン５３と人体等との直接の接触を防止する目的で、フィンガード５４が、熱交換器５０のほぼ全面、すなわち、熱交換器５０が外部に露出する部分のほぼ全体に被せられるように取り付けられている。
【００１９】
熱交換器５０は、略Ｌ字形状の熱交換器５０の長手方向の両端においてフィン５３及びチューブ５１を保持する板状のエンドプレートを備えている。エンドプレートは、熱交換器５０の長手方向に複数並んだフィン５３と略平行に配設されている。一方のエンドプレートは、室外ユニット１０の前面側に位置する前面側エンドプレート５０ａであり、他方は、室外ユニット１０の背面側に位置する背面側エンドプレート５０ｂである。
【００２０】
前面側エンドプレート５０ａ、及び、背面側エンドプレート５０ｂには、それぞれリブ５２ａ、及び、リブ５２ｂが形成されている。リブ５２ａとリブ５２ｂとは、それぞれ前面側エンドプレート５０ａ、及び、背面側エンドプレート５０ｂの縁のうち、熱交換器５０の露出面側の縁を折り曲げて形成され、それぞれＬ字の両端を延長する方向に立設されている。
【００２１】
フィンガード５４は、通風のための略菱形の開口が規則的に配列された網目状のガード部材である。図４に示すように、配列の基本パターンは、一列目は略菱形の開口が縦方向にピッチＹで連続して開口され、二列目は一列目の形状がＹ／２のピッチだけずらされた位置から開口が一列目と同様に配列され、網目の枠の幅を一定にしつつ開口の面積の密度が最も大きくなるように配列されたものである。このパターンの開口が横方向、すなわちフィンガード５４の敷設方向に繰り返されて網目状部材が形成され、この部材からフィン５３のほぼ全面を保護できる大きさの部材が切り出されて、フィンガード５４が提供される。
【００２２】
フィンガード５４の開口は、熱交換器５０の長手方向と平行でない辺からなる略菱形の枠となっている。この枠は、熱交換器５０の長手方向、すなわち、フィンガード５４の敷設方向である略菱形の対角線の方向と略平行な力がかかると歪み易い。このため、フィンガード５４を熱交換器５０の長手方向に引っ張った場合、枠全体が歪み、フィンガード５４は弾性を生じる。この弾性は、フィンガード５４の材料自体の弾性が乏しくても十分に発揮される。このため、フィンガード５４の材料としては、最小限の弾性を有する種々の樹脂や金属等を用いることができる。
【００２３】
フィンガード５４の略菱形の開口において、熱交換器５０の長手方向に略平行な方向を向く２つの端部には、上下方向に伸びる直線部が形成されている。この直線部のうち、フィンガード５４の先端側に位置し、前面側エンドプレート５０ａの近傍に位置するものは、フィンガード５４を引っ掛けるための突起５２ｃを引っ掛ける引っ掛け部５４ａとして使用される。なお、フィンガード５４の開口の上下の頂点は面取りされている。
【００２４】
フィンガード５４は、熱交換器５０に沿って略Ｌ字形状に熱交換器５０の外側の露出面に取り付けられている。フィンガード５４の一端は、前面側エンドプレート５０ａに連結され、他端は、背面側エンドプレート５０ｂに連結され、それぞれの側で異なる取り付け方法によって３箇所ずつ連結されて、フィンガード５４は熱交換器５０に取り付けられる。
【００２５】
図４は、図３中に符号Ａで示す部分を拡大して示す斜視図である。
前面側エンドプレート５０ａを折り曲げて形成されたリブ５２ａには、フィンガード５４を引っ掛けるための突起５２ｃが設けられている。突起５２ｃは、フィンガード５４の略菱形の開口が並ぶ縦方向のピッチＹの整数倍に設定された所定のピッチで、前面側エンドプレート５０ａの略上段、略中段、略下段の３箇所にそれぞれ配設される。また、突起５２ｃは、リブ５２ａと同時に成形できるため、製造に手間がかからない。
【００２６】
突起５２ｃは、フィン５３の露出面と略平行に、室外ユニット１０の前面に向かって延びている。突起５２ｃの長さは、フィンガード５４が外れないように、少なくともフィンガード５４の網目の枠の幅より長くされる。また、突起５２ｃの幅は、引っ掛け部５４ａの長さより小さくされ、換言すると、引っ掛け部５４ａの長さは、突起５２ｃの幅より大きい。また、突起５２ｃの先端は、熱交換器５０の露出面と反対側に折り曲げられてフック形状が形成されており、フィンガード５４が外れにくくなっている。
【００２７】
フィンガード５４を前面側エンドプレート５０ａに位置決めするには、フィンガード５４の上端および下端がユニットケース１１からはみ出さない位置で、突起５２ｃにフィンガード５４を引っ掛けるだけで良く、取り付けが非常に容易である。
【００２８】
図５は、図３中に符号Ｂで示す部分を拡大して示す斜視図である。
背面側エンドプレート５０ｂに形成されたリブ５２ｂの一部が幅広に形成され、この幅広部分には、貫通穴５５が穿設されている。貫通穴５５は、フィンガード５４と熱交換器５０とを連結する結束バンド５６が挿通される穴であり、この貫通穴５５とフィンガード５４の開口とに結束バンド５６を通して締め付けることで、フィンガード５４が背面側エンドプレート５０ｂに連結される。結束バンド５６は、締め付け時の長さが調節できるものが用いられている。
【００２９】
貫通穴５５が穿設される場所は、前面側エンドプレート５０ａに配設された突起５２ｃと対称で、かつ、熱交換器５０の長手方向において、引っ掛け部５４ａと貫通穴５５との距離が近いことが好ましい。しかし、結束バンド５６は、背面側エンドプレート５０ｂの近傍であれば、フィンガード５４のどの開口に挿通されても良く、図５のように両者の位置が離れている場合でも、結束バンド５６は、長さを調節でき取り付け方向も自由であることから、連結が可能である。
【００３０】
ここで、図３を参照して、フィンガード５４を熱交換器５０に取り付ける手順を説明する。
まず、フィンガード５４の縦方向の位置を決めるため、フィンガード５４の上端および下端がユニットケース１１からはみ出さない位置を探し、その縦方向の位置を保ちつつ、フィンガード５４の一端を前面側エンドプレート５０ａに配設された３個の突起５２ｃの下に潜り込ませるように引っ掛ける。
そして、熱交換器５０の形状に沿わせてフィンガード５４を図３中に矢印で示す方向に軽く引っ張りながら、背面側エンドプレート５０ｂの方へフィンガード５４の他端を持っていく。続いて、背面側エンドプレート５０ｂに穿設された貫通穴５５と、フィンガード５４の他端の開口とに結束バンド５６を通し、結束バンド５６を締め付ける。
このとき、結束バンド５６の締め付け力により、締め付け具合の調整をすることができる。フィンガード５４は若干の伸縮性を有しており、フィンガード５４が適度な引張りの復元力を持つ状態に締め付け具合を調節することで、突起５２ｃからのフィンガード５４の脱落を防止できる。また、突起５２ｃの先端がフック形状であるため、取り付け後にフィンガード５４が突起５２ｃから外れにくい。
【００３１】
フィンガード５４の一端を前面側エンドプレート５０ａに取り付ける際、例えば結束バンド５６と貫通穴５５を用いる方式を採った場合、作業者は片手でフィンガード５４を適正位置に押さえながら、結束バンド５６を貫通穴５５に通して結束するため、作業に手間がかかる。
しかし、本実施の形態の方法では、フィンガード５４の一端を突起５２ｃに引っ掛けるだけで前面側エンドプレート５０ａに連結できるので、フィンガード５４の取り付けが容易になる。また、突起５２ｃの先端がフック形状であるため、取り付け作業時に、前面側エンドプレート５０ａに仮止めされたフィンガード５４が外れにくく、背面側エンドプレート５０ｂへの取り付けが容易になる。
【００３２】
以上説明したように、この構成によれば、フィンガード５４が、熱交換器５０の露出面側の一端部に配設された突起５２ｃに、フィンガード５４の開口を引っ掛けられて取り付けられるため、取り付け時には引っ掛けるだけで済むので、熱交換器５０へのフィンガード５４の取り付けが容易になる。
【００３３】
また、リブ５２ａの一部が延設されて突起５２ｃが形成されるため、前面側エンドプレート５０ａにリブ５２ａを形成する工程で、同時に突起５２ｃを成形できるため、製造に手間がかからないという利点がある。
【００３４】
また、突起５２ｃの先端のフック形状にフィンガード５４が引っ掛かるため、フィンガード５４の取り付け作業時に仮止めしたフィンガード５４が外れにくくなり、フィンガード５４の取り付けが容易になる。また、フィンガード５４の取り付け後においても、突起５２ｃからのフィンガード５４の脱落を防止できる。
【００３５】
また、フィンガード５４の開口は、フィンガード５４の敷設方向と平行でない辺からなる枠で囲まれた形状であるため、フィンガード５４の敷設方向に歪み易く、この歪みによって伸縮可能であるため、フィンガード５４が適度な引張りの復元力を持つ状態で熱交換器５０に取り付けられる。このため、フィンガード５４が脱落しにくく、容易に確実な取り付けができる。
【００３６】
また、引っ掛け部５４ａであるフィンガード５４の先端側の辺が直線で、かつ、突起５２ｃの幅よりも長いため、フィンガード５４の先端側の辺に突起５２ｃが確実に入り込み、この辺と突起５２ｃとが直線同士で接するため、フィンガード５４を安定した状態で固定できる。
【００３７】
また、突起５２ｃ間のピッチは、フィンガード５４の開口部が並ぶピッチの整数倍となっているため、１箇所の突起５２ｃとフィンガード５４の開口の所定の部分とを一致させると、他の箇所の突起５２ｃとフィンガード５４の開口の位置とが一致するため、取り付けが容易になる。
【００３８】
なお、上記実施の形態は本発明を適用した一態様であり、本発明は上記実施の形態に限定されないのは勿論である。例えば、上記実施の形態では、略Ｌ字形状の熱交換器５０を備える空気調和装置を例に挙げて説明したが、熱交換器５０の形状は特に限定されるものではなく、平板形状等であっても良い。
また、フィンガード５４の開口の形状は略菱形としているが、突起５２ｃを引っ掛けることができれば、円形や多角形等の形状であっても良い。
また、フィンガード５４は、フィン５３に被さる構成としているが、フィン５３に被さる構成に限らず、例えば、フィンガード５４の長さを延長して、チューブ５１にも被さるようにし、チューブ５１のガードとしても機能する構成としても良い。
また、突起５２ｃの先端部を、球状や曲面にしてエッジを取り除いた形状とすることで、突起５２ｃに接触した人体等やフィンガード５４が傷つくことを防止できる。
また、突起５２ｃは、前面側エンドプレート５０ａに配設される構成としているが、突起５２ｃを背面側エンドプレート５０ｂにも配置し、同時に、より伸縮性の高いフィンガード５４を使用することで、フィンガード５４の取り付けを容易にすることができ、その他の細部構成についても任意に変更可能であることは勿論である。
【図面の簡単な説明】
【００３９】
【図１】本発明を適用した実施の形態に係る空気調和装置の室外ユニットの正面図である。
【図２】室外ユニットの天板等を外した状態の平面図である。
【図３】室外ユニットを背面側から見た斜視図である。
【図４】図３中に符号Ａで示す部分を拡大して示す斜視図である。
【図５】図３中に符号Ｂで示す部分を拡大して示す斜視図である。
【符号の説明】
【００４０】
Ｒ１  熱交換室
Ｒ２  機械室
１０  室外ユニット
１１  ユニットケース
２６  ファンモータ
２７  プロペラファン
２８  風洞ケース
２９  ファンガード
５０  熱交換器
５０ａ  前面側エンドプレート
５０ｂ  背面側エンドプレート
５１  チューブ
５２ａ  リブ
５２ｂ  リブ
５２ｃ  突起
５３  フィン
５４  フィンガード
５４ａ  引っ掛け部
５５  貫通穴
５６  結束バンド
【図１】
0005002361.tif 000002
【図２】
0005002361.tif 000003
【図３】
0005002361.tif 000004
【図４】
0005002361.tif 000005
【図５】
0005002361.tif 000006